(57)【要約】    【課題】  メータパネルにＡＴのセレクトポジションを表示させる構造において、セレクトポジションを表す文字と窓とが位置ずれするのを防止する。    【解決手段】  セレクトポジションにそれぞれ対応する文字１５と飾り枠１６とを、同一のメータパネル文字板２０（詳しくは黒色板２１）に印刷表示することにより、両者が別個の部品に印刷されている構成のように、両部品の組合せによる誤差の影響を排除することができ、文字１５と飾り枠１６との位置ずれを防止する。【選択図】            図２
2005067292.tif 000002
【特許請求の範囲】
【請求項１】
メータパネルに、オートマチックトランスミッションの各セレクトポジションにそれぞれ対応する文字を表示させるオートマチックトランスミッションのセレクトポジション表示構造であって、
前記各セレクトポジションのそれぞれに対応する文字および該文字を取り囲む枠若しくは該文字を取り囲む領域を前記文字と識別可能に表示させるように、前記メータパネルの文字板に、前記文字および前記枠若しくは前記領域がそれぞれ印刷されているとともに、前記文字板の背面側のうち前記印刷された領域ごとに対応して複数のポジション指示光源が配設され、前記メータパネルを背面側から照明する照明光を、前記文字板の背面側のうち前記印刷された領域に導光する導光板が前記メータパネル文字板の背面側に設けられ、前記導光板と前記ポジション指示光源との間に拡散板が配設されたことを特徴とするオートマチックトランスミッションのセレクトポジション表示構造。
【請求項２】
前記導光板と前記拡散板とが積層されて一体的に形成されていることを特徴とする請求項１に記載のオートマチックトランスミッションのセレクトポジション表示構造。
【請求項３】
前記導光板の厚さ端面から、前記照明光を該導光板に入射させることを特徴とする請求項１または２に記載のオートマチックトランスミッションのセレクトポジション表示構造。
【発明の詳細な説明】
【技術分野】
【０００１】
本発明は、オートマチックトランスミッション（以下、ＡＴという。）のセレクトポジション表示構造に関し、詳細には、メータパネルにＡＴセレクトポジションに対応する文字等を表示させる表示構造に関する。
【背景技術】
【０００２】
従来、図６に示すように、ＡＴの各セレクトポジション（ＡＴセレクトレバーの位置の場合も含む。以下、同じ。）にそれぞれ対応する文字１５（記号等のキャラクタも含む）をメータパネル１００に表示させるＡＴポジション表示構造として、図６のＡ−Ａ線に沿った断面図である図７（ｂ）に示すように、ＡＴの各セレクトポジションにそれぞれ対応する文字１５が記されたＡＴフィニッシャ板１０と、各ポジションに対応して光を透過させる窓２１ｂが形成されたメータパネル文字板２０と、各窓２１ｂに対応してメータパネル文字板２０の背面（図７（ｂ）において下方）側の基部３０に設けられた複数のポジション指示光源４０と、メータパネル文字板２０の背面側に配置され、図示しない照明光源から出射された文字板照明光Ｌ２をメータパネル文字板２０の背面側から窓２１ｂまで伝搬させる導光板５０と、メータパネル文字板２０と重ねた状態において少なくともこのメータパネル文字板２０の窓２１ｂに対応する領域に光拡散部２２ｂが形成された拡散板２２と、ＡＴフィニッシャ板１０に記された文字１５とメータパネル文字板２０の各窓２１ｂとが対応するようにＡＴフィニッシャ板１０とメータパネル文字板２０とを重ね合わせた構造が採用されている（特許文献１）。
【０００３】
なお、図示態様の構造においては、ＡＴフィニッシャ板１０は、透明の基板１３の背面側に、文字１５として白地の文字部１４ｂが表された文字表示板１４が重ね合され、一方、基板１３の表面（図７（ｂ）において上面）側に、文字１５以外の領域が白地の光拡散部１２ａとして形成された拡散板１２と、文字１５以外の領域が、入射した光を減光する黒色の減光部１１ａとして形成された減光板１１とが順番に積層された構成となっている。そして、メータパネル１００の表面を覆う透明ハウジング６０の開口端縁が、ＡＴフィニッシャ板１０の上面に当接している。
【０００４】
また、窓２１ｂに対応する領域が光拡散部２２ｂとして形成された拡散板２２は、メータパネル文字板２０の一部として構成され、メータパネル文字板２０は、透明の基板２３の背面側に、ポジション指示光源４０を透過させる透明窓２４ｂが形成され、この透明窓２４ｂの外側領域が青色印刷されて照明光Ｌ２の伝搬部２４ａを構成する伝搬板２４が重ね合され、一方、基板２３の表面側に、窓２１ｂの外側領域２１ａが光不透過部として形成された黒色板２１と、つや消しの拡散板２２とが重ね合された構成となっている。
【０００５】
そして、このポジション表示構造によれば、ＡＴセレクトポジションに応じて、このポジションに対応する窓２１ｂのポジション指示光源４０が点灯し、このポジション指示光源４０から出射した指示光Ｌ１は、メータパネル文字板２０の透明窓２４ｂ、光拡散部２２ｂおよび窓２１ｂ、並びにＡＴフィニッシャ板１０を透過する。
【０００６】
このとき指示光Ｌ１は、メータパネル文字板２０の窓２１ｂの外側領域２１ａについては図７（ａ）に示すように透過せず、窓２１ｂの内側領域のうち文字１５の部分については高光量で透過し、窓２１ｂの内側領域のうち文字１５以外の部分については、減光板１１によって減光された低光量で透過するため、外部には、指示光Ｌ１によって弱く光る窓２１ｂの内側領域に、セレクトポジションに対応する文字１５（図７において文字「Ｎ」）が高光量で発光して表示される。なお、ＡＴセレクトポジションの他のポジションに対応する文字（「Ｐ」，「Ｒ」，「Ｄ」，「２」，「Ｌ」）は表示されず、ＡＴセレクトポジションの他のポジションに切り換えると、この切り換えられたポジションに対応する他の文字（「Ｐ」，「Ｒ」，「Ｄ」，「２」，「Ｌ」）が点灯表示されることになる。
【０００７】
一方、例えば夜間等メータパネル２０を照明する照明光Ｌ２が点灯された状態においては、照明光Ｌ２が導光板５０内を伝搬し、メータパネル文字板２０の伝搬板２４の青色印刷された伝搬部２４ａを通過することによって略白色に変換され、透明の基板１３を伝搬してメータパネル文字板２０の光拡散部２２ｂを介して、指示光Ｌ１とは別に全ての窓２１ｂを透過する。そして、指示光Ｌ１と同様に、外部には、低光量で発光する窓２１ｂの内側領域に、セレクトポジションに対応する文字１５が発光して表示される。
【０００８】
ここで、照明光Ｌ２は、指示光Ｌ１に比べて光量が小さく、かつ全ての窓２１ｂに到達しているため、外部には、全ポジションの文字１５が低コントラスト状態で表示され、照明機能を発揮する。そして、そのうちの選択されている１つのＡＴセレクトポジションに対応する文字１５については、照明光Ｌ２よりも光量が大きい指示光Ｌ１によって重畳的に発光するため、高コントラスト状態で表示され、これによって、いずれのセレクトポジションが選択されているかを外部に認識させることができる。
【０００９】
なお、拡散板２２は、窓２１ｂの内側領域のうち文字１５以外の部分を透過して、指示光源４０やメータパネル文字板２０の背面側の構造部分が、外部から視認されるのを防止するために配置されている。
【特許文献１】特開２０００−１４６６３０号公報
【発明の開示】
【発明が解決しようとする課題】
【００１０】
ところで、上述したＡＴフィニッシャ板１０は図８に示すように、メータパネルの基部の図示しない突起に、その孔１８が嵌挿されることによって取り付けられ、またメータパネル文字板も同様にメータパネルの基部に取り付けられ、メータパネル文字板上にＡＴフィニッシャ板が重ね合されるが、メータパネル文字板およびメータパネル文字板と基部との間の集積誤差およびＡＴフィニッシャ板と基部との間の集積誤差によって、メータパネル文字板に形成された窓２１ｂとＡＴフィニッシャ板に形成された文字１５とが位置ずれする場合があり、この場合、外観品質の低下を招く虞がある。
【００１１】
本発明は上記事情に鑑みなされたものであり、部品の製造誤差に拘わらず、メータパネルにおいて、セレクトポジションを表す文字と窓とが位置ずれするのを防止することができるＡＴのセレクトポジション表示構造を提供することを目的とするものである。
【課題を解決するための手段】
【００１２】
本発明に係るＡＴのセレクトポジション表示構造は、メータパネルに、ＡＴの各セレクトポジションにそれぞれ対応する文字を表示させるＡＴのセレクトポジション表示構造であって、前記各セレクトポジションのそれぞれに対応する文字および該文字を取り囲む枠若しくは該文字を取り囲む領域を前記文字と識別可能に表示させるように、前記メータパネルの文字板に、前記文字および前記枠若しくは前記領域がそれぞれ印刷されているとともに、前記文字板の背面側のうち前記印刷された領域ごとに対応して複数のポジション指示光源が配設され、前記メータパネルを背面側から照明する照明光を、前記文字板の背面側のうち前記印刷された領域に導光する導光板が前記メータパネル文字板の背面側に設けられ、前記導光板と前記ポジション指示光源との間に拡散板が配設されたことを特徴とする。
【００１３】
ここで、「文字および該文字を取り囲む枠若しくは該文字を取り囲む領域を前記文字と識別可能に表示させる」とは、文字と枠とを表示させる構成にあっては、枠の内側領域に表示される文字を識別可能であればよく、両者の表示光度に差異を持たせる必要はないが、文字と文字を取り囲む領域とを表示させる構成にあっては、文字と当該領域とを同一光度で表示すると文字を識別できなくなるため、両者の表示光度に差異を持たせる等して表示させることを意味する。
【００１４】
また、印刷されているとは、文字自体や枠等自体が印刷されている場合のみならず、セレクトポジションにそれぞれ対応する文字や枠、あるいは文字を取り囲む領域を、他の領域よりも透過光量が大きくなるように文字抜き印刷し、または他の領域は印刷しつつも当該文字等は無印刷とするなどの反転的な印刷も含む意味である。
【００１５】
このように構成された本発明に係るＡＴのセレクトポジション表示構造によれば、セレクトポジションにそれぞれ対応する文字と枠とが、あるいは文字とこの文字を取り囲む領域とが、同一のメータパネル文字板に印刷されていることにより、両者が別個の部品に印刷されている従来の構成のように、両部品の組合せによる誤差の影響を排除することができ、文字と枠との位置ずれ、あるいは文字と領域の境界線との位置ずれを防止することができる。したがって、これらが位置ずれすることによる外観品質の低下を防止することができる。
【００１６】
また、セレクトポジションにそれぞれ対応する文字と枠とが、あるいは文字とこの文字を取り囲む領域とが、同一のメータパネル文字板に印刷されるため、文字の印刷工程と枠または領域の印刷工程とを統合することができ、印刷工程数を低減することができる。
【００１７】
さらに、メータパネル文字板上に、外観上の目視対象となるＡＴフィニッシャ板を設ける必要がないため、構成部品の低減を図ることができる。なお、ＡＴフィニッシャ板に代わる導光板や拡散板がメータパネル文字板の背面側に設けられるが、これらは、メータパネル文字板の背面側に隠蔽されるため、外観上の目視対象とはならず、したがって外観仕上げの程度等をＡＴフィニッシャ板ほど高級なものとする必要がない点で、部品コストを低減することができる。
【００１８】
また、従来構造のように、メータパネル文字板を通過して減衰した照明光によってセレクトポジションに対応する文字あるいはその周囲領域等を発光させる構造ではなく、メータパネル文字板を通過する以前の減衰していない照明光が、メータパネル文字板に形成されたセレクトポジションに対応する文字またはその周囲領域を直接発光させる構造であるため、従来構造に比べて照明光の減衰が少なく、照明光の光量低下を抑制することができ、文字等のコントラストを向上させることができる。
【００１９】
本発明に係るＡＴのセレクトポジション表示構造においては、前記導光板と前記拡散板とが積層されて一体的に形成されている構成とするのが好ましい。
【００２０】
このように構成された本発明に係るＡＴのセレクトポジション表示構造によれば、導光板と拡散板とが予め一体的に形成されているため、組立工程においてこれら２つの部品を組み付ける作業に比べて、組立作業性を向上させることができる。
【００２１】
また、本発明に係るＡＴのセレクトポジション表示構造において、前記導光板の厚さ端面から、前記照明光を該導光板に入射させる構成とするのが好ましい。
【００２２】
このように構成された本発明に係るＡＴのセレクトポジション表示構造によれば、導光板の表面（ひょうめん）から入射させる構成に比べて、文字板方向に出射する照明光の光量を空間的に均一化することができ、照明ムラを低減させることができる。
【発明の効果】
【００２３】
本発明に係るＡＴのセレクトポジション表示構造によれば、セレクトポジションにそれぞれ対応する文字と枠とが、あるいは文字とこの文字を取り囲む領域とが、同一のメータパネル文字板に印刷されていることにより、両者が別個の部品に印刷されている従来の構成のように、両部品の組合せによる誤差の影響を排除することができ、文字と枠との位置ずれ、あるいは文字と領域の境界線との位置ずれを防止することができる。したがって、これらが位置ずれすることによる外観品質の低下を防止することができる。
【発明を実施するための最良の形態】
【００２４】
以下、本発明のＡＴのセレクトポジション表示構造に係る最良の実施形態について、図面を参照して説明する。図１は、本実施形態に係るＡＴのセレクトポジション表示構造が適用されたメータパネル１００を示す正面図、図２は、図１に示したＡ−Ａ線に沿った断面を表す断面図である。
【００２５】
図示のＡＴのセレクトポジション表示構造は、メータパネル１００に、ＡＴの各セレクトポジションにそれぞれ対応する文字１５（記号等のキャラクタも含む）を表示させる構造であり、図示の通り、メータパネル１００には、メータパネル文字板２０に設けられた車速計９０に隣接して各文字１５が表示されるように構成されている。
【００２６】
そして、図２（ｂ）に示すように、メータパネルの文字板２０には、各セレクトポジションのそれぞれに対応する文字１５およびこれらの文字１５を取り囲む飾り枠１６を透過表示させるように、それぞれ文字抜き印刷されている。すなわちメータパネル文字板２０は、透明な基板２３上に、一部がつや消しの光拡散部２２ｃとされた拡散板２２と、文字１５および飾り枠１６が無印刷部２１ｄとして文字抜き印刷され、他の部分が光不透過部２１ｃとして黒色印刷された黒色板２１とが積層して形成されている。
【００２７】
なお、拡散板２２の光拡散部２２ｃは、文字１５および飾り枠１６を形成する無印刷部２１ｄの範囲よりも大きく形成されているが、少なくとも無印刷部２１ｄに対応した範囲に形成すればよい。
【００２８】
また、このメータパネル文字板２０の背面側（図２（ｂ）において下方側）には、文字抜き印刷された各文字１５および飾り枠１６ごとにそれぞれ対応して、基部３０に複数のポジション指示光源４０が配設されている。さらに、メータパネル文字板２０とポジション指示光源４０との間には、図示しない照明光源から出射された文字板照明光Ｌ２をメータパネル文字板２０の背面側から各文字１５や各飾り枠１６まで伝搬させる導光板７１と拡散板７２とが重ね合されて一体的に形成された導光拡散板７０が配設されている。
【００２９】
ここで、拡散板７２は、導光板７１と別体のものとして形成されたものに限るものではなく、例えば導光板２１の図示下面側を白色印刷し、この白色印刷して形成された膜を拡散板７２として機能させることもできる。
【００３０】
また、導光拡散板７０は、図示左側部が基部３０のハウジング傾斜部３１の頂部近傍で支持されており、この導光拡散板７０の厚さ端面すなわち導光板７１と拡散板７２との積層方向に沿った面７１ａ（図２（ｂ）における左側面）は、メータパネル１００の内部に向いて配置されている。
【００３１】
そして、夜間等においてメータパネルを照明するためにメータパネル１００の内部に設けられた図示しない照明光源から出射した照明光Ｌ２が、ハウジング傾斜部３１とメータパネル文字板２０の背面との間で反射を繰り返して、あるいは照明光源から直接、導光板７１の厚さ端面７１ａに到達し、この照明光Ｌ２は厚さ端面７１ａから導光板７１の内部に入射するように構成されている。なお、導光拡散板７０は、矢視Ｂによる平面図である図３に示すように、全体として透過光を均一に拡散しうるものとなっている。
【００３２】
次に、本実施形態に係るＡＴのセレクトポジション表示構造の作用について説明する。
【００３３】
まず、ＡＴセレクトポジションに応じて、このポジションの文字１５に対応するポジション指示光源４０が点灯し、このポジション指示光源４０から出射した指示光Ｌ１は、拡散板７２を透過することにより拡散されて照度のムラが適当に解消され、導光板７１を透過し、メータパネル文字板２０の背面からこのメータパネル文字板２０に入射する。
【００３４】
メータパネル文字板２０に入射したポジション指示光Ｌ１は、透明な基板２３を透過し、拡散板２２の光拡散部２２ｃを透過してさらに照度の均一化が図られる。このポジション指示光Ｌ１はさらに黒色板２１に入射するが、文字１５および飾り枠１６に対応する無印刷部２１ｄにおいては、そのままメータパネル文字板２０の表面側に透過し、一方、光不透過部２１ｃにおいては、遮光されてメータパネル文字板２０の表面側に透過することがない。
【００３５】
したがって、メータパネル１００には、選択されたＡＴセレクトポジションに対応する文字１５（図２においては文字「Ｎ」）およびこの文字１５を取り囲む飾り枠１６が、ポジション指示光Ｌ１によって発光して表示され、外部からは、この文字１５および飾り枠１６が視認される。
【００３６】
このとき、他のＡＴセレクトポジションに対応する他の文字（「Ｐ」，「Ｒ」，「Ｄ」，「２」，「Ｌ」）は表示されず、ＡＴセレクトポジションの他のポジションに切り換えると、この切り換えられたポジションに対応する他の文字（「Ｐ」，「Ｒ」，「Ｄ」，「２」，「Ｌ」）が択一的に点灯表示されることになる。
【００３７】
しかも、表示されていない他の文字１５については、外部から光が入射しても、メータパネル１００内部からの反射光が拡散板２２，７２によって拡散されるため、基部３０の内部構造や基部３０の内部に設けられたポジション指示光源４０の形状等が像として視認されることがなく、したがって外観品質を損なうことがない。
【００３８】
一方、例えば夜間等メータパネル２０を照明する照明光Ｌ２が点灯された状態においては、照明光Ｌ２の一部（以下、単に照明光Ｌ２という。）は、基部３０のハウジング傾斜部３１とメータパネル文字板２０の背面との間で反射を繰り返しながら、両者が交差する方向に導かれ、この交差する近傍部に配置された導光板７１の左側面７１ａから導光板７１内に入射する。また、照明光Ｌ２の他の一部（以下、単に照明光Ｌ２という。）は直接この左側面７１ａに到達し、同様にこの左側面７１ａから導光板７１内に入射する。
【００３９】
そして、これら導光板７１内に入射した照明光Ｌ２は、導光坂７１内で反射を繰り返しつつ、一部は導光板７１の表面から出射して、ポジション指示光Ｌ１と同様に文字板２０を介して外部に出射する。この作用によって、メータパネル１００には、選択されたか否かに拘わらずＡＴセレクトポジションにそれぞれ対応する全ての文字１５（「Ｐ」，「Ｒ」，「Ｎ」，「Ｄ」，「２」，「Ｌ」）およびこれら文字１５を取り囲む飾り枠１６が発光表示される。
【００４０】
なお、この照明光Ｌ２は、ポジション指示光Ｌ１の発光強度よりも小さい強度で発光するため、上述した照明光Ｌ２による全ての文字１５および飾り枠１６の発光表示は、低コントラスト状態の表示となり、そのうちの選択されている１つのＡＴセレクトポジションに対応する文字１５および飾り枠１６については、照明光Ｌ２よりも光量が大きいポジション指示光Ｌ１によって重畳的に発光するため、高コントラスト状態で表示される。
【００４１】
したがって、全てのセレクトポジションに対応する文字１５等を照明しつつ、いずれのセレクトポジションが選択されているかを外部に認識させることができる。
【００４２】
このように構成された本実施形態に係るＡＴのセレクトポジション表示構造によれば、セレクトポジションにそれぞれ対応する文字１５と飾り枠１６とが、同一のメータパネル文字板２０（詳しくは黒色板２１）に印刷されていることにより、両者が別個の部品に印刷されている従来の構成のように、両部品の組合せによる誤差の影響を排除することができ、文字１５と飾り枠１６との位置ずれを防止することができる。したがって、これらが位置ずれすることによる外観品質の低下を防止することができる。
【００４３】
また、セレクトポジションにそれぞれ対応する文字１５と飾り枠１６とが、同一のメータパネル文字板２０に印刷されるため、文字１５の印刷工程と飾り枠１６の印刷工程とを統合して印刷工程数を低減することができるため、製造コストを低減することができる。
【００４４】
さらに、メータパネル文字板２０上に、外観上の目視対象となるＡＴフィニッシャ板を設ける必要がないため、構成部品の低減を図ることができる。なお、ＡＴフィニッシャ板に代わって導光拡散板７０がメータパネル文字板２０の背面側に設けられるが、これらは、メータパネル文字板２０の背面側に隠されているため、外観上の目視対象とはならず、したがって外観仕上げの程度等をＡＴフィニッシャ板ほど高級なものとする必要がない点で、部品コストを低減することができる。
【００４５】
また、従来構造のように、メータパネル文字板を通過して減衰した照明光によってＡＴフィニッシャのセレクトポジションに対応する文字１５を発光させる構造ではなく、メータパネル文字板２０を通過する以前の減衰していない照明光Ｌ２が、メータパネル文字板２０に形成されたセレクトポジションに対応する文字１５を直接発光させる構造であるため、従来構造に比べて照明光Ｌ２の減衰が少なく、照明光Ｌ２の光量低下を抑制することができ、文字１５等のコントラストを向上させることができる。
【００４６】
さらに、導光板７１と拡散板７２とが積層されて導光拡散板７０として一体的に形成されているため、組立工程においてこれら２つの部品を組み付ける作業に比べて、組立作業性を向上させることができる。
【００４７】
また、照明光Ｌ２は、導光板７１の厚さ端面である左側面７１ａから導光板７１に入射されるため、導光板７１の表面（ひょうめん）から入射されるものよりも、メータパネル文字板２０の方向に出射する照明光Ｌ２の光量を空間的に均一化することができ、照明ムラを低減させることができる。
【００４８】
なお、本実施形態に係るＡＴのセレクトポジション表示構造は、文字１５の周囲に飾り枠１６を設けて、この飾り枠１６も文字１５とともに発光させるものであるが、本発明に係るＡＴのセレクトポジション表示構造はこの態様に限定されるものではなく、例えば図４に示すように、文字１５の周囲の領域１７を、文字１５と識別視認可能に発光させる構成を採用することもできる。すなわち、メータパネル文字板２０の黒色板２１の印刷態様として、文字１５に対応させて無印刷部２１ｄを形成し、周囲の領域１７に対応させて半透過の印刷部２１ｅを形成し、領域１７の外側領域を光不透過部２１ｃとして黒色印刷すればよい。
【００４９】
このように、飾り枠１６に代えて文字１５の周囲の領域１７を、文字１５と識別視認可能に表示させる構成のセレクトポジション表示構造によっても、上述した実施形態と同様の作用、効果を発揮することができる。
【００５０】
また、本実施形態に係るＡＴのセレクトポジション表示構造は、車速計９０に隣接して、セレクトポジションを表す文字１５が一直線上に配列されて表示される構造であるが、本発明に係るＡＴのセレクトポジション表示構造はこの態様に限定されるものではなく、例えば図５に示すように、車速計９０の外周縁である円弧に沿った配列で文字１５が表示されるものであってもよいし、メータパネル１００のデザイン等に応じて他の種々の配列態様を採用することができる。
【図面の簡単な説明】
【００５１】
【図１】ＡＴの各セレクトポジションにそれぞれ対応する文字をメータパネルに表示させる本発明の一実施形態に係るＡＴポジション表示構造を示す正面図である。
【図２】セレクトポジションの文字が表示された部分の拡大図および図１のＡ−Ａ線に沿った断面図である。
【図３】ＡＴフィニッシャ板に代わる導光拡散板を示す平面図である。
【図４】文字表示の他の態様を示す図である。
【図５】文字表示位置の他の態様を示す図である。
【図６】ＡＴの各セレクトポジションにそれぞれ対応する文字をメータパネルに表示させる従来のＡＴポジション表示構造を示す正面図である。
【図７】セレクトポジションの文字が表示された部分の拡大図および図６のＡ−Ａ線に沿った断面図である。
【図８】ＡＴフィニッシャ板を示す平面図である。
【符号の説明】
【００５２】
１５    文字
１６    飾り枠
１７    周囲領域
２０    メータパネル文字板
２１    黒色板
２１ｃ  光不透過部
２１ｄ  無印刷部
２１ｅ  半透過の印刷部
２２    拡散板
２２ｃ  光拡散部
２３    基板
３０    基部
３１    ハウジング傾斜部
４０    ポジション指示光源
７０    導光拡散板
７１    導光板
７２    拡散板
Ｌ１    指示光
Ｌ２    照明光
【図１】
2005067292.tif 000003
【図２】
2005067292.tif 000004
【図３】
2005067292.tif 000005
【図４】
2005067292.tif 000006
【図５】
2005067292.tif 000007
【図６】
2005067292.tif 000008
【図７】
2005067292.tif 000009
【図８】
2005067292.tif 000010